(57)【要約】【課題】  楽曲の相対的な再生位置を表示する。【解決手段】記録媒体からプログラムデータを再生する再生装置であって、記録媒体のプログラムデータの演奏時間を算出する演奏時間算出手段と、演奏時間を予め決められた長手方向の長さのグラフィカルバーで表示する第１の表示手段と、プログラムデータの再生時間を算出する再生時間算出手段と、再生時間の情報をグラフィカルバー上に表示する第２の表示手段と、再生時間に基づいてプログラムデータの残り時間を表示する第３の表示手段とを備える。【選択図】        図９
2006196174.tif 000002
【特許請求の範囲】
【請求項１】
記録媒体からプログラムデータを再生する再生装置において、
上記記録媒体の上記プログラムデータの演奏時間を算出する演奏時間算出手段と、
上記演奏時間を予め決められた長手方向の長さのグラフィカルバーで表示する第１の表示手段と、
上記プログラムデータの再生時間を算出する再生時間算出手段と、
上記再生時間の情報を上記グラフィカルバー上に表示する第２の表示手段と、
再生時間に基づいてプログラムデータの残り時間を表示する第３の表示手段と
を備えることを特徴とする再生装置。
【請求項２】
記録媒体からプログラムデータを再生する再生方法において、
上記記録媒体の上記プログラムデータの演奏時間を算出する演奏時間算出ステップと、
上記演奏時間を予め決められた長手方向の長さのグラフィカルバーで表示する第１の表示ステップと、
上記プログラムデータの再生時間を算出する再生時間算出ステップと、
上記再生時間の情報を上記グラフィカルバー上に表示する第２の表示ステップと、
再生時間に基づいてプログラムデータの残り時間を表示する第３の表示ステップと
を備えることを特徴とする再生方法。
【発明の詳細な説明】
【技術分野】
【０００１】
本発明は再生装置及び再生方法に関わり、特に光ディスク、光磁気ディスクなどの記録媒体を再生することができる再生装置及び再生方法に関するものである。
【背景技術】
【０００２】
例えば、コンパクトディスク、ミニディスクなどの記録媒体に記録された音楽などの楽曲（プログラム）を再生装置によって再生する場合、再生装置本体などに設けられている表示部に再生時間などを表示することができるようにされている。
なお、ミニディスクシステムなどでは「プログラム」とは一般に「トラック」とも呼ばれ、例えばオーディオデータとして一つの楽曲などの単位が一つのプログラムとされて管理される。
表示部における表示形態としては、例えば現在の再生位置を楽曲の最初からの進行位置、または楽曲の最後までの残りを時間で示す数値表示を行なうことが可能であり、ユーザはこれらの表示形態を例えば操作部などに設けられている表示切替えキーを操作することによって選択することができるようにされている。
【発明の開示】
【発明が解決しようとする課題】
【０００３】
ところが、これらの時間表示は例えば分、秒などを数値で示すようにされている。例えば『３分５秒』の楽曲を再生している場合、その現在の再生位置について『２分２０秒』という表示と、残り時間として『０分４５秒』という時間表示が選択的に行なわれることになるが、その楽曲についての進行時間と残り時間の割合、すなわち楽曲における相対的な再生位置はこれらの数値から容易に把握することが困難である。
ユーザが楽曲における相対的な再生位置を求める場合、先ず進行時間と残り時間を切替えて表示することにより双方の時間を把握し、さらに、例えばこれらの時間を加算することで楽曲の演奏時間を算出し、この演奏時間に対する進行時間または残り時間の割合を計算しなくてはならないという煩わしさがあった。
【課題を解決するための手段】
【０００４】
本発明は、上記課題を解決するために、記録媒体からプログラムデータを再生する再生装置であって、上記記録媒体の上記プログラムデータの演奏時間を算出する演奏時間算出手段と、上記演奏時間を予め決められた長手方向の長さのグラフィカルバーで表示する第１の表示手段と、上記プログラムデータの再生時間を算出する再生時間算出手段と、上記再生時間の情報を上記グラフィカルバー上に表示する第２の表示手段と、再生時間に基づいてプログラムデータの残り時間を表示する第３の表示手段とを備える。
【発明の効果】
【０００５】
以上、説明したように本発明は、再生中の楽曲の総演奏時間に対しての再生進行割合を、例えばグラフィカルバーなどとされる図形表示により所定の形状で示すことができるようにされている。したがって、当該楽曲における現在の再生位置をその図形からアナログ的に捉えて、直感的に認識することができるようになる。
また、図形表示は数値による時間表示に対応して遷移するので、情報としての正確さを有している。
【発明を実施するための最良の形態】
【０００６】
以下、本発明の実施の形態について説明する。
この実施の形態としての例は光磁気ディスク（ミニディスク）に対応する記録再生装置とする。
説明は次の順序で行なう。
１．記録再生装置の構成
２．クラスタフォーマット
３．エリア構造
４．Ｐ−ＴＯＣセクタ
５．Ｕ−ＴＯＣセクタ
６．表示形態
７．表示制御
【０００７】
１．記録再生装置の構成
図１は本例のミニディスク記録再生装置１の内部構成を示す。
音声データが記録される光磁気ディスク（ミニディスク・・・以下単にディスクという）９０は、スピンドルモータ２により回転駆動される。そしてディスク９０に対しては記録／再生時に光学ヘッド３によってレーザ光が照射される。
【０００８】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタ等が搭載されている。対物レンズ３ａは２軸機構４によってディスク半径方向及びディスクに接離する方向に変位可能に保持されている。
【０００９】
また、ディスク９０を挟んで光学ヘッド３と対向する位置に磁気ヘッド６ａが配置されている。磁気ヘッド６ａは供給されたデータによって変調された磁界をディスク９０に印加する動作を行なう。
光学ヘッド３全体及び磁気ヘッド６ａは、スレッド機構５によりディスク半径方向に移動可能とされている。
【００１０】
再生動作によって、光学ヘッド３によりディスク９０から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報ＧＦＭ等を抽出する。グルーブ情報ＧＦＭとは、ディスク９０にプリグルーブ（ウォブリンググルーブ）として記録されている絶対位置情報のことである。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００１１】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００１２】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときアドレス、サブコードデータなども抽出され、システムコントローラ１１に供給される。
【００１３】
エンコーダ／デコーダ部８でＥＦＭ復調、ＣＩＲＣ等のデコード処理された音声データ（セクターデータ）は、メモリコントローラ１２によって一旦バッファメモリ１３に書き込まれる。なお、光学ヘッド３によるディスク９０からのデータの読み取り及び光学ヘッド３からバッファメモリ１３までの系における再生データの転送は1.41Mbit/secで、しかも通常は間欠的に行なわれる。
【００１４】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、４４．１ＫＨZ サンプリング、１６ビット量子化のデジタルオーディオ信号とされる。  このデジタルオーディオ信号はＤ／Ａ変換器１５によってアナログ信号とされ、出力処理部１６でレベル調整、インピーダンス調整等が行われてライン出力端子１７からアナログオーディオ信号Ａｏｕｔとして外部機器に対して出力される。またヘッドホン出力ＨＰｏｕｔとしてヘッドホン出力端子２７に供給され、接続されるヘッドホンに出力される。
【００１５】
また、エンコーダ／デコーダ部１４でデコードされた状態のデジタルオーディオ信号は、デジタルインターフェース部２２に供給されることで、デジタル出力端子２１からデジタルオーディオ信号Ｄｏｕｔとして外部機器に出力することもできる。例えば光ケーブルによる伝送形態で外部機器に出力される。
【００１６】
ディスク９０に対して記録動作が実行される際には、ライン入力端子１８に供給された記録信号（アナログオーディオ信号Ａｉｎ）は、Ａ／Ｄ変換器１９によってデジタルデータとされた後、エンコーダ／デコーダ部１４に供給され、音声圧縮エンコード処理を施される。
または外部機器からデジタル入力端子２０にデジタルオーディオ信号Ｄｉｎが供給された場合は、デジタルインターフェース部２２で制御コード等の抽出が行われるとともに、そのオーディオデータがエンコーダ／デコーダ部１４に供給され、音声圧縮エンコード処理を施される。
なお図示していないがマイクロホン入力端子を設け、マイクロホン入力を記録信号として用いることも当然可能である。
【００１７】
エンコーダ／デコーダ部１４によって圧縮された記録データはメモリコントローラ１２によって一旦バッファメモリ１３に書き込まれて蓄積されていった後、所定量のデータ単位毎に読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００１８】
磁気ヘッド駆動回路６はエンコード処理された記録データに応じて、磁気ヘッド６ａに磁気ヘッド駆動信号を供給する。つまり、ディスク９０に対して磁気ヘッド６ａによるＮ又はＳの磁界印加を実行させる。また、このときシステムコントローラ１１は光学ヘッドに対して、記録レベルのレーザ光を出力するように制御信号を供給する。
【００１９】
操作部２３はユーザー操作に供される部位を示し、各種操作キーやダイヤルとしての操作子が設けられる。操作子としては例えば、再生、録音、一時停止、停止、ＦＦ（早送り）、ＲＥＷ（早戻し）、ＡＭＳ（頭出しサーチ）などの記録再生動作にかかる操作子や、通常再生、トラック再生、シャッフル再生などのプレイモードにかかる操作子、さらには表示部２４における表示状態を切り換える表示モード操作のための操作子、トラック分割、トラック連結、トラック消去、トラックネーム入力、ディスクネーム入力などの編集操作のための操作子など、各種必要な操作子が設けられている。
これらの操作キーやダイヤルによる操作情報はシステムコントローラ１１に供給され、システムコントローラ１１は操作情報に応じた動作制御を実行することになる。
【００２０】
表示部２４の表示動作はシステムコントローラ１１によって制御される。
即ちシステムコントローラ１１は表示動作を実行させる際に表示すべきデータを表示部２４内の表示ドライバに送信する。該表示ドライバは供給されたデータに基づいて例えばＶＦＤ（Vacuum Fluorescent Display）などによるディスプレイの表示動作を駆動し、所要の数字、文字、記号などの表示を実行させる。
表示部２４においては、記録／再生しているディスクの動作モード状態、トラックナンバ、記録時間／再生時間の数値またはバーグラフィック表示、編集動作状態等が示される。
またディスク９０には主データたるプログラムトラック（音楽等）に付随して管理される文字情報（トラックネーム等）が記録できるが、その文字情報の入力の際の入力文字の表示や、ディスクから読み出した文字情報の表示などが実行される。
【００２１】
システムコントローラ１１は、ＣＰＵ、プログラムＲＯＭ、ワークＲＡＭ、インターフェース部等を備えたマイクロコンピュータとされ、上述してきた各種動作の制御を行う。
【００２２】
ところで、ディスク９０に対して記録／再生動作を行なう際には、ディスク９０に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク９０上の記録すべきエリアのアドレスや、再生すべきエリアのアドレスを判別することとなる。
この管理情報はバッファメモリ１３に保持される。
そして、システムコントローラ１１はこれらの管理情報を、ディスク９０が装填された際に管理情報の記録されたディスクの最内周側の再生動作を実行させることによって読み出し、バッファメモリ１３に記憶しておき、以後そのディスク９０に対するプログラムの記録／再生／編集動作の際に参照できるようにしている。
【００２３】
また、Ｕ−ＴＯＣはプログラムデータの記録や各種編集処理に応じて書き換えられるものであるが、システムコントローラ１１は記録／編集動作のたびに、Ｕ−ＴＯＣ更新処理をバッファメモリ１３に記憶されたＵ−ＴＯＣ情報に対して行ない、その書換動作に応じて所定のタイミングでディスク９０のＵ−ＴＯＣエリアについても書き換えるようにしている。
【００２４】
図２は表示部２４の構成例を説明するブロック図である。
一点鎖線で囲んで示されている例えばＶＦＤとして構成されている表示部２４は、コントロールゲートアレー３０、メモリ３１、アノードドライバ部３２、グリッドドライバ部３３、および実際の表示部分を形成する蛍光部３４などによって構成され、システムコントローラ１１から供給される各種制御信号や表示用のデータなどに基づいて所要の表示を行なうようことができるようにされている。
システムコントローラ１１はコントロールゲートアレー３０に対して、例えば読み込み信号ＲＤ、書込み信号ＷＤ、チップセレクト信号ＣＳ、コマンド／データ信号Ｃ／Ｄなどの各種制御信号が供給されるとともに、バスラインＢ１を介して表示を行なうためのデータ（表示データ）が供給される。すなわち、後述するバーグラフィック表示を行なうためのデータは、バスラインＢ１を介して供給されることになる。
また、表示部２４はシステムコントローラ１１からアノード／グリッド用の駆動電圧ｅｂｂ、フィラメント電圧Ｅｆ１、Ｅｆ２、電源電圧Ｖｃｃなどの駆動電源が供給される。
【００２５】
コントロールゲートアレー３０はアノードドライバ部３１及びグリッドドライバ部３２に対して制御信号を供給するコントロールゲート群が設けられており、この制御信号はバスラインＢ２、バスラインＢ３を介してそれぞれアノードドライバ部３１、グリッドドライバ部３２に供給される。
アノードドライバ部３１は駆動電圧ｅｂｂによって動作するようにされ、コントロールゲートアレー３０から供給される表示データに基づいて、蛍光部３４に形成されているアノードの駆動信号を生成する。同様に、グリッドドライバ部３２も駆動電圧ｅｂｂによって動作するようにされ、コントロールゲートアレー３０から供給される表示データに基づいて、蛍光部３４に形成されているグリッドの駆動信号を生成する。
【００２６】
メモリ３３は、表示を行なうためのデータを生成するワークエリアなどとして設けられ、例えば後述するバーグラフィック表示を行なう場合の再生位置の遷移に対応したデータがバスラインＢ６を介して蓄積される。そして必要に応じて読み出されてコントロールゲートアレー３０からアノードドライブ部３１、グリッドドライブ部３２に供給される。
【００２７】
蛍光部３４は、画素として蛍光体が塗布されたアノードと、金属性のメッシュとして構成されているグリッドが対向するようにして配置されており、バスラインＢ４、バスラインＢ５を介してアノード及びグリッドに対して各駆動信号が供給される。そしてフィラメント電圧Ｅｆ１、Ｅｆ２が供給されるカソードから放射される熱電子によって、アノードの蛍光体を刺激して発光表示を行なうことができるようにされている。
【００２８】
２．クラスタフォーマット
図３で、クラスタというデータ単位について説明する。
ミニディスクシステムでの記録トラックとしては図３のようにクラスタＣＬが連続して形成されており、１クラスタが記録時の最小単位とされる。１クラスタは２〜３周回トラック分に相当し、記録される音声データは、再生時間として２．０４１６秒に相当するデータ量となる。
【００２９】
そして１つのクラスタＣＬは、セクターＳFC〜ＳFFとされる４セクターのリンキング領域と、セクターＳ00〜Ｓ1Fとして示す３２セクターのメインデータ領域から形成されている。
１セクタは２３５２バイトで形成されるデータ単位である。
４セクターのサブデータ領域のうち、セクターＳFFはサブデータセクタとされ、サブデータとしての情報記録に使用できるが、セクターＳFC〜ＳFEの３セクターはデータ記録には用いられない。ただし、ミニディスクシステムでは再生専用ディスクも用意されているが、その再生専用ディスクではセクターＳFC〜ＳFEもサブデータの記録に用いられる。
一方、ＴＯＣデータ、音声データ等の記録は３２セクター分のメインデータ領域に行なわれる。
なお、アドレスは１セクター毎に記録される。
【００３０】
また、セクターはさらにサウンドグループという単位に細分化され、２セクターが１１サウンドグループに分けられている。
つまり図示するように、セクターＳ00などの偶数セクターと、セクターＳ01などの奇数セクターの連続する２つのセクターに、サウンドグループＳＧ00〜ＳＧ0Aが含まれる状態となっている。１つのサウンドグループは４２４バイトで形成されており、11.61msec の時間に相当する音声データ量となる。
１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
なお、Ｌチャンネル又はＲチャンネルのデータ領域となる２１２バイトをサウンドフレームとよんでいる。
【００３１】
３．エリア構造
本例のディスク９０のエリア構造を図４で説明する。
図４（ａ）はディスク最内周側から最外周側までのエリアを示している。
光磁気ディスクとしてのディスク９０は、最内周側はエンボスピットにより再生専用のデータが形成されるピット領域とされており、ここにＰ−ＴＯＣが記録されている。
ピット領域より外周は、光磁気領域とされ、記録トラックの案内溝としてのグルーブが形成された記録再生可能領域となっている。
この光磁気領域の最内周側のクラスタ０〜クラスタ４９までの区間が管理エリアとされ、実際の楽曲等がそれぞれ１つのトラックとして記録されるのは、クラスタ５０〜クラスタ２２５１までのプログラムエリアとなる。プログラムエリアより外周はリードアウトエリアとされている。
【００３２】
管理エリア内を詳しく示したものが図４（ｂ）である。図４（ｂ）は横方向にセクター、縦方向にクラスタを示している。なお、データ記録に用いられないセクターＳFC〜ＳFEは省略してある。
管理エリアにおいてクラスタ０，１はピット領域との緩衝エリアとされている。クラスタ２はパワーキャリブレーションエリアＰＣＡとされ、レーザー光の出力パワー調整等のために用いられる。
クラスタ３，４，５はＵ−ＴＯＣが記録される。Ｕ−ＴＯＣの内容についての詳しい内容の説明は後述するが、１つのクラスタ内の各セクターにおいてデータフォーマットが規定され、それぞれ所定の管理情報が記録される。即ちプログラムエリアに記録されている各トラックのアドレス、フリーエリアのアドレス等が記録され、また各トラックに付随するトラックネーム、記録日時などの情報が記録できるようにＵ−ＴＯＣセクターが規定されている。
このようなＵ−ＴＯＣデータとなるセクターを有するクラスタが、クラスタ３，４，５に３回繰り返し記録される。
クラスタ４７，４８，４９は、プログラムエリアとの緩衝エリアとされる。
【００３３】
クラスタ５０（＝１６進表記で３２ｈ・・・なお、本明細書において、『ｈ』を付した数値はいわゆる１６進表記のものである）以降のプログラムエリアには、１又は複数の楽曲等の音声データがＡＴＲＡＣと呼ばれる圧縮形式で記録される。記録される各プログラムや記録可能な領域は、Ｕ−ＴＯＣによって管理される。
なお、プログラム領域における各クラスタにおいて、セクターＦＦｈは、前述したようにサブデータとしての何らかの情報の記録に用いることができる。
【００３４】
４．Ｐ−ＴＯＣセクター
ここで、ディスク９０においてセクターデータ形態で記録される音声データセクター、及び音声データの記録／再生動作の管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク９０が再生専用の光ディスクの場合は、Ｐ−ＴＯＣによってＲＯＭ化されて記録されている楽曲の管理も行なうことができるようにされている。
【００３５】
Ｐ−ＴＯＣのフォーマットを図５に示す。
図５はＰ−ＴＯＣ用とされる領域（例えばディスク最内周側のＲＯＭエリア）において繰り返し記録されるＰ−ＴＯＣ情報の１つのセクター（セクター０）を示している。なお、Ｐ−ＴＯＣフォーマットのセクター１以降は説明を省略する。
【００３６】
Ｐ−ＴＯＣのセクターのデータ領域（４バイト×588 の２３５２バイト）は、先頭位置にオール０又はオール１の１バイトデータによって成る同期パターンを及びクラスタアドレス及びセクターアドレスを示すアドレス等が４バイト付加され、以上でヘッダとされてＰ−ＴＯＣの領域であることが示される。
【００３７】
また、ヘッダに続いて所定アドレス位置に『ＭＩＮＩ』という文字に対応したアスキーコードによる識別ＩＤが付加されている。
さらに、続いてディスクタイプや録音レベル、記録されている最初の楽曲の曲番（First TNO)、最後の楽曲の曲番（Last TNO) 、リードアウトスタートアドレスＲＯA 、パワーキャルエリアスタートアドレスＰＣA 、Ｕ−ＴＯＣ（後述する図６のＵ−ＴＯＣセクター０のデータ領域）のスタートアドレスＵＳＴA 、録音可能なエリア（レコーダブルユーザーエリア）のスタートアドレスＲＳＴA 等が記録される。
【００３８】
続いて、記録されている各楽曲等を後述する管理テーブル部におけるパーツテーブルに対応させるテーブルポインタ(P-TNO1 〜P-TNO255) を有する対応テーブル指示データ部が用意されている。
【００３９】
そして対応テーブル指示データ部に続く領域には、対応テーブル指示データ部におけるテーブルポインタ(P-TNO1 〜P-TNO255) に対応して、(01h) 〜(FFh) までの２５５個のパーツテーブルが設けられた管理テーブル部が用意される。それぞれのパーツテーブルには、或るパーツについて起点となるスタートアドレス、終端となるエンドアドレス、及びそのパーツ（トラック）のモード情報（トラックモード）が記録できるようにされている。なお、パーツとは時間的に連続したデータが物理的に連続して記録されているトラック部分をいう。
【００４０】
各パーツテーブルにおけるトラックのモード情報とは、そのパーツが例えばオーバーライト禁止やデータ複写禁止に設定されているか否かの情報や、オーディオ情報か否か、モノラル／ステレオの種別などが記録されている。
【００４１】
管理テーブル部における(01h) 〜(FFh) までの各パーツテーブルは、対応テーブル指示データ部のテーブルポインタ (P-TNO1〜P-TNO255) によって、そのパーツの内容が示される。つまり、第１曲目の楽曲についてはテーブルポインタP-TNO1として或るパーツテーブル（例えば(01h) 。ただし実際にはテーブルポインタには所定の演算処理によりＰ−ＴＯＣセクター０内のバイトポジションで或るパーツテーブルを示すことができる数値が記されている）が記録されており、この場合パーツテーブル(01h) のスタートアドレスは第１曲目の楽曲の記録位置のスタートアドレスとなり、同様にエンドアドレスは第１曲目の楽曲が記録された位置のエンドアドレスとなる。さらに、トラックモード情報はその第１曲目についての情報となる。
【００４２】
同様に第２曲目の楽曲についてはテーブルポインタP-TNO2に示されるパーツテーブル（例えば(02h) ）に、その第２曲目の記録位置のスタートアドレス、エンドアドレス、及びトラックモード情報が記録されている。
【００４３】
以下同様にテーブルポインタはP-TNO255まで用意されているため、Ｐ−ＴＯＣ上では第２５５曲目まで管理可能とされている。
そして、このようにＰ−ＴＯＣセクター０が形成されることにより、例えば再生時において、所定の楽曲をアクセスして再生させることができる。
【００４４】
なお、記録／再生可能な光磁気ディスクの場合いわゆるピットの楽曲エリアが存在しないため、上記した対応テーブル指示データ部及び管理テーブル部は用いられず（これらは続いて説明するＵ−ＴＯＣで管理される）、従って各バイトは全て『００ｈ』とされている。
ただし、全ての楽曲がＲＯＭ形態（ピット形態）で記録されている再生専用タイプのディスク、及び楽曲等が記録されるエリアとしてＲＯＭエリアと光磁気エリアの両方を備えたハイブリッドタイプのディスクについては、そのＲＯＭエリア内の楽曲の管理に上記対応テーブル指示データ部及び管理テーブル部が用いられる。
【００４５】
５．Ｕ−ＴＯＣセクター
続いてＵ−ＴＯＣの説明を行なう。
図６はＵ−ＴＯＣの１セクター（セクター０）のフォーマットを示しており、主にユーザーが録音を行なった楽曲や新たに楽曲が録音可能な未記録エリア（フリーエリア）についての管理情報が記録されているデータ領域とされる。なお、Ｕ−ＴＯＣもセクター１以降はオプションとされるが、これについては説明は省略する。
例えばディスク９０に或る楽曲の録音を行なおうとする際には、システムコントローラ１１は、Ｕ−ＴＯＣからディスク上のフリーエリアを探し出し、ここに音声データを記録していくことができるようにされている。また、再生時には再生すべき楽曲が記録されているエリアをＵ−ＴＯＣから判別し、そのエリアにアクセスして再生動作を行なう。
【００４６】
図６に示すＵ−ＴＯＣのセクター（セクター０）には、Ｐ−ＴＯＣと同様にまずヘッダが設けられ、続いて所定アドレス位置に、メーカーコード、モデルコード、最初の楽曲の曲番(First TNO）、最後の楽曲の曲番（Last TNO）、セクター使用状況、ディスクシリアルナンバ、ディスクＩＤ等のデータが記録され、さらに、ユーザーが録音を行なって記録されている楽曲の領域や未記録領域等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００４７】
そして対応テーブル指示データ部のテーブルポインタ(P-DFA〜P-TNO255) に対応させることになる管理テーブル部として(01h) 〜(FFh) までの２５５個のパーツテーブルが設けられ、それぞれのパーツテーブルには、上記図５のＰ−ＴＯＣセクター０と同様に或るパーツについて起点となるスタートアドレス、終端となるエンドアドレス、そのパーツのモード情報（トラックモード）が記録されており、さらにこのＵ−ＴＯＣセクター０の場合、各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
【００４８】
この種の記録再生装置では、１つの楽曲のデータが物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。そのため、リンク情報が設けられ、例えば各パーツテーブルに与えられたナンバ(01h) 〜(FFh) （実際には所定の演算処理によりＵ−ＴＯＣセクター０内のバイトポジションとされる数値で示される）によって、連結すべきパーツテーブルを指定することによってパーツテーブルが連結できるようにされている。（なお、あらかじめピット形態で記録される楽曲等については通常パーツ分割されることがないため、前記図５のようにＰ−ＴＯＣセクター０においてリンク情報はすべて『(00h) 』とされている。）
【００４９】
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理が行なわれる。
【００５０】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００５１】
テーブルポインタP-DFA はディスク９０上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパー
ツテーブルが指定され、そのパーツテーブルにも欠陥パーツが示されている。そして、さらに他の欠陥パーツがない場合はリンク情報は例えば『(00h) 』とされ、以降リンクなしとされる。
【００５２】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００５３】
テーブルポインタP-FRA はディスク９０上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『(00h) 』となるパーツテーブルまで順次指定されている。
【００５４】
図７にパーツテーブルにより、フリーエリアとなるパーツの管理状態を模式的に示す。これはパーツ(03h)(18h)(1Fh)(2Bh)(E3h) がフリーエリアとされている時に、この状態が対応テーブル指示データP-FRA に引き続きパーツテーブル(03h)(18h)(1Fh)(2Bh)(E3h) のリンクによって表現されている状態を示している。なお、上記した欠陥領域や、未使用パーツテーブルの管理形態もこれと同様となる。
【００５５】
テーブルポインタP-TNO1〜P-TNO255は、ディスク９０にユーザーが記録を行なった楽曲について示しており、例えばテーブルポインタP-TNO1では１曲目のデータが記録された１又は複数のパーツのうちの時間的に先頭となるパーツが示されたパーツテーブルを指定している。
【００５６】
例えば１曲目とされた楽曲がディスク上でトラックが分断されずに（つまり１つのパーツで）記録されている場合は、その１曲目の記録領域はテーブルポインタP-TNO1で示されるパーツテーブルにおけるスタート及びエンドアドレスとして記録されている。
【００５７】
また、例えば２曲目とされた楽曲がディスク上で複数のパーツに離散的に記録されている場合は、その楽曲の記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図６と同様の形態）。このように例えば２曲目を構成するデータが記録された全パーツが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なパーツから連続的な音楽情報を取り出したり、記録エリアを効率使用した記録が可能になる。
【００５８】
以上のようにディスク上のエリア管理はＰ−ＴＯＣによって行なわれ、またレコーダブルユーザーエリアにおいて記録された楽曲やフリーエリア等はＵ−ＴＯＣにより行なわれる。
これらのＴＯＣ情報はバッファメモリ１３に読み込まれてシステムコントローラ１１がこれを参照できるようにされる。
【００５９】
６．表示形態
以下、本実施の形態による表示部２４の表示形態を説明する。
図８は、楽曲の再生を行なっている場合の表示部２４における表示例を説明する。なお、図８（ａ）（ｂ）（ｃ）と図８（ｄ）（ｅ）（ｆ）では、それぞれ他の楽曲を再生している場合について示している。
これらの図で、表示エリア４０は再生中の楽曲（プログラム）のトラックナンバー（プログラムナンバー）が示される。図８（ａ）乃至図８（ｃ）ではそのディスク９０に記録されている２番目の楽曲『ＴＲ．２』が、また図８（ｅ）乃至図８（ｆ）では同じく３番目の楽曲『ＴＲ．３』が選択されて演奏されていることを示している。
表示エリア４１は、再生されてる楽曲の現在の再生位置が、例えばその楽曲の先頭からの進行時間として示される。また、この図では進行時間が示されているが、現在の再生位置からその楽曲の最後までの残り時間を示すこともできる。この表示切替えは、図１に示した操作部２３に設けられる表示切替えキーなどによって行なうことができる。
【００６０】
グラフィカルバー４２は、ある楽曲の再生が開始されると、例えばその長手方向をその楽曲の演奏時間に対応させる処理が行なわれ、その左端部が楽曲の先頭、同じく右端部が楽曲の終了となるようにされる。そして、演奏が進んで行くに連れてバー表示が例えば左側から右側に遷移していくようにされている。
図８（ａ）（ｂ）（ｃ）に示す楽曲『ＴＲ．２』の楽曲の総演奏時間（トラックのデータ量）、は例えば『０３分０５秒』とされている。したがって、グラフィカルバー４２の左端部から右端部までは『０３分０５秒』に相当するように設定される。
【００６１】
図８（ａ）に示されているように、現在の再生位置が楽曲『ＴＲ．２』の先頭から例えば『００ｍ２０ｓ』（２０秒）である場合は、ハッチングで示すバー表示４２ａは総演奏時間『０３分０５秒』に対する『００ｍ２０ｓ』の割合ということになり、グラフィカルバー４２の左端付近における表示となる。この状態から演奏がさらに進み、図８（ｂ）に示されているように例えば『０２ｍ２０ｓ』（２分２０秒）となった場合は、楽曲『ＴＲ．２』の先頭から見て全体の約３／４ぐらいの位置を演奏していることになり、バー表示４２ａも右端付近まで表示されることになる。
そして、現在の再生位置が楽曲『ＴＲ．２』の先頭から例えば『０３ｍ０２ｓ』、すなわちその楽曲のほぼ最後の部分である場合は、図８（ｃ）に示されているように、グラフィカルバー４２全体にバー表示４２ａが行なわれる。
【００６２】
また、図８（ｄ）（ｅ）（ｆ）は例えば楽曲『ＴＲ．２』に続く楽曲『ＴＲ．３』を演奏している状態を示しているが、この楽曲の総演奏時間は例えば『０６分２０秒』とされている。
図８（ｄ）に示されているように、現在の再生位置が楽曲『ＴＲ．３』の先頭から『００ｍ２０ｓ』（２０秒）である場合、バー表示４２ａは総演奏時間『０６分２０秒』に対する『００ｍ２０ｓ』の割合ということになり、グラフィカルバー４２の左端付近における表示となる。
【００６３】
この状態から演奏がさらに進み、現在の再生位置が図８（ｅ）に示されているように『０３ｍ０２ｓ』（３分２秒）となった場合は、楽曲『ＴＲ．３』の先頭から見て全体の約１／２ぐらいの位置を演奏していることになり、バー表示４２ａもグラフィカルバー４２の中央付近まで表示されることになる。
そして、現在の再生位置が楽曲『ＴＲ．３』の先頭から『０６ｍ０２ｓ』（６分２秒）すなわちほぼ最後の部分である場合は、図８（ｆ）に示されているように、グラフィカルバー４２ほぼ全体にバー表示４２ａが行なわれる。
【００６４】
図８において、例えば図８（ａ）と図８（ｄ）を比較してみると、それぞれ楽曲『ＴＲ．２』と楽曲『ＴＲ．３』について、先頭から『００ｍ２０ｓ』の位置を再生している場合を示している。しかし、現在の再生位置として同じ『００ｍ２０ｓ』の位置を演奏している場合でも総演奏時間に対する割合が異なるので、これに応じてバー表示４２ａの長さが異なる。すなわち図８（ａ）に示す楽曲『ＴＲ．２』のバー表示４２ａの方が、図８（ｄ）に示す楽曲『ＴＲ．３』のバー表示４２ａよりも長く形成される表示となる。
【００６５】
同様に、例えば図８（ｃ）と図８（ｅ）を比較してみると、それぞれ楽曲『ＴＲ．２』と楽曲『ＴＲ．３』について、先頭から『０３ｍ０２ｓ』の位置を再生している場合を示しているが、同じ『０３ｍ０２ｓ』の位置を演奏している場合でも、図８（ｃ）に示されているように楽曲『ＴＲ．２』についてはグラフィカルバー４２ほぼ全部にバー表示が行なわれ、図８（ｅ）に示されているように楽曲『ＴＲ．３』についてはグラフィカルバー４２の約１／２程度にバー表示４２ａが行なわれることになる。
このように、各楽曲の先頭から見た絶対時間として同じ位置を再生している場合でも、その楽曲の長さに応じた現在の再生位置の割合をバー表示４２ａにより示すことができるので、ユーザは現在の再生位置が楽曲全体のおよそどれくらいの位置であるかを視覚的に認識することができるようになる。
【００６６】
次に、図９のフローチャートにしたがい、表示部２４において図８（ａ）乃至図８（ｆ）にで説明した表示制御を行なう場合のシステムコントローラ１１の処理について説明する。
例えば、再生開始、または再生中にトラックチェンジの入力操作が検出されたら（S001）、その入力操作によって選択された楽曲のエンドアドレスからスタートアドレスを減算して、演奏時間Ｔを算出する（S002）。そして、この演奏時間Ｔをグラフィカルバー４２の長さ全体に対応させる（S003）。これらのステップS002、S003はグラフィカルバー４２にバー表示を行なうための初期処理とされる。
【００６７】
再生開始、またはトラックチェンジの入力操作が行なわれて再生動作に移行すると、現在出力処理部１６を介して再生出力されている音声信号に対応したデータ部のアドレスから、当該楽曲の現在の再生進行時間を算出する（S004）。そして、算出された現在の再生進行時間を当該楽曲の演奏時間に対応させ、グラフィカルバー４２内で何パーセント位の位置とされているかを判別し、図８（ａ）乃至図８（ｆ）に示したバー表示４２ａを行なう（S005）。
【００６８】
なお、１つの楽曲のデータが物理的に不連続に、即ち複数のパーツにわたって記録されパーツ間でアクセスしながら再生していく場合についても同様にバー表示４２ａを行なうことが可能とされる。
例えば一つの楽曲が例えば２個のパーツに別れて記録されている場合は、総演奏時間は第一のパーツのエンドアドレスからスタートアドレスを減算した求められた時間と、第一のパーツのエンドアドレスからスタートアドレスを減算した求められた時間を足したものとされ、これがグラフィカルバー４２の全体に対応する。
そして、例えば第一のパーツが演奏されている場合は、総演奏時間（第一のパーツ及び第二のパーツ）に対して第一のパーツの先頭から現在の再生位置までの割合が示されることになる。さらに例えば第二のパーツが演奏されている場合は、第一のパーツの演奏時間と、第二のパーツにおける先頭から現在の再生位置までの時間を加えた時間がその楽曲の現在の再生位置としてグラフィカルバー４２に表示されることになる。
【００６９】
このように、再生中の楽曲において現在の再生位置を、図形表示として例えばグラフィカルバー４２によるバー表示によって示すことができる。したがって、ユーザは時間表示としての数値にとらわれることなく、視覚的に再生位置の遷移を認識することができるようになる。
なお、グラフィカルバー４２によるバー表示に限定されるものではなく、例えば円グラフ形態の表示を形成するようにしても良い。
【図面の簡単な説明】
【００７０】
【図１】本発明の実施の形態の記録再生装置のブロック図である。
【図２】本実施の形態の記録再生装置における表示部の構成を説明する図である。
【図３】本実施の形態のディスクのセクターフォーマットの説明図である。
【図４】本実施の形態のディスクのエリア構造の説明図である。
【図５】ディスクにおけるＰ−ＴＯＣセクターの説明図である。
【図６】ディスクにおけるＵ−ＴＯＣセクターの説明図である。
【図７】ディスクにおけるＵ−ＴＯＣセクターのリンク構造の説明図である。
【図８】表示部における表示状態の遷移を説明する図である。
【図９】表示部の表示制御を行なう処理を説明するフローチャートである。
【符号の説明】
【００７１】
１  記録再生装置、３  光学ヘッド、６ａ  磁気ヘッド、８  エンコーダ／デコーダ部、１１  システムコントローラ、１２  メモリコントローラ、１３  バッファメモリ、１４  エンコーダ／デコーダ部、２３  操作部、２４  表示部、９０  ディスク、４２  グラフィックバー、４２ａ  バー表示
【図１】
2006196174.tif 000003
【図２】
2006196174.tif 000004
【図３】
2006196174.tif 000005
【図４】
2006196174.tif 000006
【図５】
2006196174.tif 000007
【図６】
2006196174.tif 000008
【図７】
2006196174.tif 000009
【図８】
2006196174.tif 000010
【図９】
2006196174.tif 000011